(57)【要約】      （修正有）【課題】天井埋込照明器具の天井埋込穴に規格化された汎用品である天井直付照明器具を組み込んで設置することができる照明器具を提供する。【解決手段】本照明器具は、既設の天井埋込照明器具が埋め込まれた矩形の天井埋込穴２と前記既設の天井埋込照明器具を固定していた吊りボルト３を利用する照明器具であって、既設の天井埋込照明器具が取り除かれた天井埋込穴２に埋め込まれ、下方向に開放するように形成された開放部１０Ａを有する収納ケース１０と、前記収納ケース１０の開放部１０Ａに収容され、収納ケース１０とともに吊りボルト３によって着脱自在に固定される照明器具本体２０とからなり、収納ケース１０の外形は、天井埋込穴２に合わせて形成され、かつ、開放部１０Ａは、照明器具本体２０の外形に合わせて形成されていることを特徴とする。【選択図】図２
0003152989.tif 000002
【実用新案登録請求の範囲】
【請求項１】
既設の天井埋込照明器具が埋め込まれた矩形の天井埋込穴（２）と前記既設の天井埋込照明器具を固定していた吊りボルト（３）を利用する照明器具であって、
既設の天井埋込照明器具が取り除かれた前記天井埋込穴に埋め込まれ、下方向に開放するように形成された開放部（１０Ａ）を有する収納ケース（１０）と、
前記収納ケースの開放部に収容され、前記収納ケースとともに前記吊りボルトによって着脱自在に固定される照明器具本体（２０）とからなり、
前記収納ケースの外形の寸法は、前記天井埋込穴の寸法に合わせて形成され、かつ、前記開放部（１０Ａ）の寸法は、前記照明器具本体（２０）の外形の寸法に合わせて形成されている
ことを特徴とする照明器具。
【請求項２】
既設の天井埋込照明器具が埋め込まれた矩形の天井埋込穴（１０２）と前記既設の天井埋込照明器具を固定していた吊りボルト（３）を利用する照明器具であって、
既設の天井埋込照明器具が取り除かれた前記天井埋込穴の側面（１０２ａ、１０２ｂ、１０２ｃ、１０２ｄ）に、それぞれ嵌め込まれ天井面が開放するように形成された開放部（１１０Ａ）を有する枠体（１１０ａ、１１０ｂ、１１０ｃ、１１０ｄ）と、
前記枠体の開放部（１１０Ａ）に設置され、前記吊りボルトによって着脱自在に固定される照明器具本体（２０）とからなり、
前記枠体の外形の寸法は、前記天井埋込穴の寸法に合わせて形成され、かつ、前記開放部（１１０Ａ）の寸法は、前記照明器具本体（２０）の外形の寸法に合わせて形成されている
ことを特徴とする照明器具。
【請求項３】
請求項１又は２に記載された照明器具であって、
前記照明器具本体（２０）は、直管形照明灯のための天井直付照明器具である
ことを特徴とする照明器具。
【請求項４】
請求項１に記載された照明器具であって、
前記収納ケース（１０）は、
矩形に形成され、前記吊りボルトを挿通させるボルト孔（１４、１４、１５、１５）が形成されている天板部（１１）と、
前記天板部（１１）の周囲に下方向に形成された側板部（１２ａ、１２ｂ、１２ｃ、１２ｄ）と、
前記側板部（１２ａ、１２ｂ、１２ｃ、１２ｄ）の下端の辺より形成され、前記天井埋込穴（２）と前記側板部（１２ａ、１２ｂ、１２ｃ、１２ｄ）との間に生じる隙間を隠す鍔部（１３ａ、１３ｂ、１３ｃ、１３ｄ）とからなる
ことを特徴とする照明器具。
【請求項５】
請求項４に記載された照明器具であって、
前記収納ケース（１０）は、矩形の各辺を構成する１枚の板材を曲げて構成されたものである
ことを特徴とする照明器具。
【請求項６】
請求項２に記載された照明器具であって、
前記枠体（１１０ａ、１１０ｂ、１１０ｃ、１１０ｄ）は、矩形の各辺を構成する４枚の板材をそれぞれ曲げて構成されたものである
ことを特徴とする照明器具。
【請求項７】
請求項６に記載された照明器具であって、
前記枠体（１１０ａ、１１０ｂ、１１０ｃ、１１０ｄ）は、
矩形に形成された天板部（１１１ａ、１１１ｂ、１１１ｃ、１１１ｄ）と、
前記天板部（１１）の周囲に下方向に形成された側板部（１１２ａ、１１２ｂ、１１２ｃ、１１２ｄ）と、
前記側板部（１１２ａ、１１２ｂ、１１２ｃ、１１２ｄ）の下端の辺より形成され、前記天井埋込穴（１０２）と前記側板部（１１２ａ、１１２ｂ、１１２ｃ、１１２ｄ）との間に生じる隙間を隠す鍔部（１３ａ、１３ｂ、１３ｃ、１３ｄ）とからなる
ことを特徴とする照明器具。
【請求項８】
請求項７に記載された照明器具であって、
前記枠体（１１０ａ、１１０ｂ、１１０ｃ、１１０ｄ）は、組み込むことにより、前記吊りボルトを挿通させる矩形の貫通孔が形成されている
ことを特徴とする照明器具。
【考案の詳細な説明】
【技術分野】
【０００１】
本考案は、照明器具に関する。さらに詳しくは、天井直付照明器具を天井埋込照明器具に取りつけることを特徴とする照明器具に関する。
【背景技術】
【０００２】
従来より使用されてきた天井に取りつけて室内を照明する照明器具は、天井面に直接器具を取りつける天井直付照明器具と天井面に穴を開けその空間に埋め込む天井埋込照明器具がある。天井埋込照明器具は、天井面に埋込状態に取りつけられる照明器具本体を有し、この照明器具本体の裏面側に、安定器や端子台やソケット等の配線器具が取りつけられている。そして、これらの多くは、蛍光灯を２灯用いるものである。
【０００３】
しかし、蛍光灯を２灯用いる天井埋込照明器具は、消費電力が多く、経済的負担が多かった。また、蛍光灯を２灯用いる天井埋込照明器具は、蛍光灯数が必然的に多いためその発熱作用により、室内温度が上がり、空調設備をより稼働しなければならず、必然的に使用電気料が増大していた。
【０００４】
蛍光灯を２灯用いる天井埋込照明器具は、このような問題点及び現在のエネルギー節約の傾向から、１灯の天井埋込照明器具に変更することが近年行われている。また、天井埋込照明器具の灯数を１灯に減らしても、反射板の効果で２灯の天井埋込照明器具と同等の照度を確保できる１灯の天井埋込照明器具等が作られてきている。このように従来使用されていた２灯の天井埋込照明器具を、１灯の天井埋込照明器具に変更する作業が近年増加している。
【０００５】
従来の２灯の天井埋込照明器具が埋め込まれている天井埋込穴の寸法は、メーカーや取付業者の違いを勘案してもほぼ同一（１２５７ｍｍ×３００ｍｍ）の大きさである。また、天井埋込穴の寸法がほぼ同一であることから、天井埋込照明器具の外形もほぼ同一（１２７５±５ｍｍ×３００±５ｍｍ）である。しかし、天井埋込照明器具のメーカーや取付業者により取りつけ方法、取りつけ器具が異なり、天井に取付ける方法がまちまちであった。また、天井埋込照明器具のリニューアル工事は、天井に埋め込まれているため、一度それらを解体し、新たな器具を組み込むことにより行われる。このため、天井埋込照明器具のリニューアル工事は、天井直付照明器具を取り換えるだけの作業ですむ天井直付照明器具のリニューアル工事に比べ手間がかかる。
【０００６】
天井埋込照明器具は、現在大きく分けて６種類のタイプがある。このため、いつ受注されるかもわからないリニューアル工事のために、６種類のタイプに応じた器具の材料等を在庫しておく必要があった。さらに、天井埋込照明器具は、一列に並べられる連結タイプ等も存在していることから、ますますその器具の材料等を在庫しておく必要があるという問題点があった。
【０００７】
さらに、特許文献を基に、従来の技術を説明する。天井面に取りつけられる照明器具をリニューアルするため、その照明器具に設けられている配線器具の交換作業や、その照明器具に設けられている配線器具の点検作業を、手間をかけずに容易に行える照明器具の技術が知られている（例えば、特許文献１参照）。
【０００８】
既存のシャーシを利用して更新作業を簡単に行うことができ、脱着すべき部品点数を削減して更新時のコストの低減や工期の短縮が可能となるとともに、更新に伴う廃棄物を減らすことができる照明器具の技術が知られている（例えば、特許文献２参照）。
【０００９】
【特許文献１】特開２００３−２８８８０３号公報
【特許文献２】特開２００１−１９５９０３号公報
【考案の開示】
【考案が解決しようとする課題】
【００１０】
しかしながら、前述した特許文献１又２に記載された発明では、今後の技術力の向上に応じた新たな照明器具や器具材料が現れたときには、設置されている天井埋込照明器具の器具材料を取り外さなければならない。そして、新たな照明器具の寸法や形状に応じて再度、取りつけ工事を行わなければならないものであった。つまり、新たな照明器具が現れるたびに工事を行わなければならず費用、手間及び時間がかかるという課題を有するものであった。
【００１１】
また、従来は、天井埋込照明器具と天井直付照明器具とが別の種類として分けられ、それぞれについて個別の設計・製造が行われており、これらを共通化する考えがなかった。現在、天井直付照明器具には、規格化され、汎用品として安価に製造販売しているものがある。既設の天井埋込照明器具には、天井埋込穴にこの規格化された天井直付照明器具を組み込むという考えがなかった。
【００１２】
本考案は、前述した課題を解決するためになされたもので、次の目的を達成する。
本考案の目的は、既設の天井埋込照明器具をリニューアル工事する際に多くの器具材料を要することなく、既存の天井直付照明器具を組み込んで構成される照明器具を提供することにある。また、本考案の他の目的は、工事コストを抑え、リニューアル工事作業が少なく、工事に必要な器具材料が減り在庫をかかえることを極力抑えた照明器具を提供することにある。
【課題を解決するための手段】
【００１３】
本考案は、前記目的を達成するために次の手段をとる。
本考案１の照明器具は、既設の天井埋込照明器具が埋め込まれた矩形の天井埋込穴と前記既設の天井埋込照明器具を固定していた吊りボルトを利用する照明器具であって、既設の天井埋込照明器具が取り除かれた前記天井埋込穴に埋め込まれ、下方向に開放するように形成された開放部を有する収納ケースと、前記収納ケースの開放部に収容され、前記収納ケースとともに前記吊りボルトによって着脱自在に固定される照明器具本体とからなり、前記収納ケースの外形の寸法は、前記天井埋込穴の寸法に合わせて形成され、かつ、前記開放部の寸法は、前記照明器具本体の外形の寸法に合わせて形成されていることを特徴とする。
【００１４】
本考案２の照明器具は、既設の天井埋込照明器具が埋め込まれた矩形の天井埋込穴と前記既設の天井埋込照明器具を固定していた吊りボルトを利用する照明器具であって、既設の天井埋込照明器具が取り除かれた前記天井埋込穴の側面に、それぞれ嵌め込まれ天井面が開放するように形成された開放部を有する枠体と、前記枠体の開放部に設置され、前記吊りボルトによって着脱自在に固定される照明器具本体とからなり、前記枠体の外形の寸法は、前記天井埋込穴の寸法に合わせて形成され、かつ、前記開放部の寸法は、前記照明器具本体の外形の寸法に合わせて形成されていることを特徴とする。
【００１５】
本考案３は、本考案１又は２に記載された照明器具であって、前記照明器具本体は、直管形照明灯のための天井直付照明器具であることを特徴とする。
【００１６】
本考案４は、本考案１に記載された照明器具であって、前記収納ケースは、矩形に形成され、前記吊りボルトを挿通させるボルト孔が形成されている天板部と、前記天板部の周囲に下方向に形成された側板部と、前記側板部の下端の辺より形成され、前記天井埋込穴と前記側板部との間に生じる隙間を隠す鍔部とからなることを特徴とする。
【００１７】
本考案５は、本考案４に記載された照明器具であって、前記収納ケースは、矩形の各辺を構成する１枚の板材を曲げて構成されたことを特徴とする。
【００１８】
本考案６は、本考案２に記載された照明器具であって、前記枠体は、矩形の各辺を構成する４枚の板材をそれぞれ曲げて構成されたことを特徴とする。
【００１９】
本考案７は、本考案６に記載された照明器具であって、前記枠体は、天板部と、前記天板部の周囲に下方向に形成された側板部と、前記側板部の下端の辺より形成され、前記天井埋込穴と前記側板部との間に生じる隙間を隠す鍔部とからなることを特徴とする。
【００２０】
本考案８は、本考案７に記載された照明器具であって、前記枠体は、組み込むことにより、前記吊りボルトを挿通させる矩形の貫通孔が形成されていることを特徴とする。
【考案の効果】
【００２１】
以上説明したように、本考案の照明器具は、既設の天井埋込照明器具をリニューアル工事する際に多くの器具材料を要することなく、既存の天井直付照明器具を組み込んで構成することができるようになった。また、本考案の照明器具は、工事コストを抑え、リニューアル工事作業が少なく、工事に必要な器具材料が減り在庫を抱えることを極力抑えることができるようになった。さらに、一旦設置してしまえば、規格化された汎用品である天井直付照明器具に取り換える作業が容易にできるようになった。
【考案を実施するための最良の形態】
【００２２】
以下、本考案の照明器具について、その実施の形態を図面に基づいて説明する。図１は、本考案の照明器具の実施の形態を示す外観図である。図２は、図１をＡ−Ａ線で切断した拡大断面図である。図３は、本考案の照明器具を分解して示す外観図である。図４は、図３を切断した拡大断面図である。なお、本考案の照明器具の実施の形態を示す図面においては、説明の便宜から天井に向かう方向を上方向とし、反対の方向を下方向としてて描いている。
【００２３】
図１及び２において、本考案の照明器具１は、収納ケース１０及び照明器具本体２０から構成されている。図２において、本実施の形態の収納ケース１０は、鋼板、アルミニウム板などの一枚の金属板を曲げスポット溶接等することにより形成されている。収納ケース１０は、下方向の面が開放するように開放部１０Ａが設けられた略直方体の箱形状に形成されている。
【００２４】
図３及び４において、収納ケース１０は、下方向の面が開口している略直方体の箱形状であり、長方形形状の天板部１１と、天板部１１の周囲に下方向に形成された側板部１２ａ、１２ｂ、１２ｃ、１２ｄ（以下単に「側板部１２ａ〜ｄ」という。）から形成されている。天板部１１は、後述する照明器具本体２０の大きさに合わせて、例えば長辺１２５０ｍｍ、短辺２７０ｍｍに形成されている。側板部１２ａ〜ｄは、後述する照明器具本体２０の高さに合わせて、例えば５０ｍｍの高さに形成されている。開放部１０Ａは、既存の規格化された照明器具の大きさにあわせた長辺１２５０ｍｍ、短辺２７０ｍｍ及び高さ５０ｍｍに形成されている。また、収納ケース１０は、天井の天井板４に露出した天井埋込穴２を十分覆い隠せるように鍔部を含んだ最大の外形は、例えば、長辺１２８５ｍｍ、短辺３４０ｍｍ以上になるように形成されている。なお、本実施の形態において、天井用埋込穴の寸法は、１２５７ｍｍ×３００ｍｍである。
【００２５】
天板部１１は、一対の第一吊下ボルト孔１４と一対の第二吊下ボルト孔１５を設けている。第一吊下ボルト孔１４及び第二吊下ボルト孔１５は、収納ケース１０を天井に設置する際に一対の吊下ボルト３を挿通させるための貫通孔であり、収納ケース１０を貫通した貫通孔である。本実施の形態においては、一対の第一吊下ボルト孔１４より一対の吊下ボルト３を挿通させ、吊下ボルト３の先端で収納ケース１０と後述する照明器具本体２０を吊り下げて固定する。
【００２６】
本実施の形態において、一対の第一吊下ボルト孔１４は、例えば８００ｍｍの間隔で設けられた貫通孔である。また、第二吊下ボルト孔１５は、例えば６００ｍｍの間隔で設けられた貫通孔である。本実施の形態において第一吊下ボルト孔１４と第二吊下ボルト孔１５の間隔は、既存の照明設備のシャーシを固定する吊下ボルトの間隔から決められたものである。
【００２７】
つまり、本実施の形態において照明器具は、既存の照明器具、例えば既存の２灯式の天井埋込照明器具を天井に取付けている吊下ボルトをそのまま利用するものである。  既設の天井埋込照明器具を取付けている吊下ボルトの間隔をそのまま用いているので、新たに吊下ボルトの設置工事等は必要ない。一対の第一吊下ボルト孔１４と一対の第二吊下ボルト孔１５は、照明器具本体２０を開放部１０Ａに嵌め込んだときに、後述する一対の第一吊下ボルト孔２４と一対の第二吊下ボルト孔２５の位置に合致するように形成されている。
【００２８】
天板部１１は、電源線を挿通するための電源用孔１６を設けている。電源用孔１６は、収納ケース１０を天井に設置する際に天井から配線される電源用の電源線を挿通させるための貫通孔であり、天板部１１を貫通した貫通孔である。本実施の形態において電源用孔１６は、天板部の中心位置に設けられた貫通孔である。電源用孔１６は、本実施の形態において、丸形形状であり、例えば直径２０ｍｍで形成されている。
【００２９】
なお、電源用孔１６を挿通する電源線が傷つかないようにするために、電源用孔１６の円周を縁取るように合成樹脂等でカバー等を設けても良い。なお、天板部１１は、天井から配線される電源線の位置に応じてプレス加工により、電源用ノック孔を設けても良いことはいうまでもない。電源用孔１６は、照明器具本体２０を開放部１０Ａに嵌め込んだときに、後述する電源用孔２６の位置に合致するように形成されている。
【００３０】
側板部１２ａ〜ｄの下端の辺、即ち下方の縁には、それぞれ鍔部１３ａ、１３ｂ、１３ｃ、１３ｄ（以下単に「鍔部１３ａ〜ｄ」という。）が形成されている。本実施の形態において、鍔部１３ａ、１３ｂは、例えば幅１７．５ｍｍに形成されている。また、鍔部１３ｃ、１３ｄは、例えば幅３５ｍｍに形成されている。鍔部１３ａ〜ｄは、収納ケース１０を天井埋込穴２に嵌め込んだ際に寸法の違いから生じる天井埋込穴２と側板部１２ａ〜ｄの間に形成される隙間を隠すために設けられた。また、鍔部１３ａ〜ｄは、隙間から生じる埃などを室内に落ちないようにするために設けられたものである。
【００３１】
本実施の形態において、天井埋込穴２と側板部１２ａとの間に形成される隙間は、天井埋込穴２に対して収納ケース１０を均等に設置すると、３．５ｍｍである。同様に、天井埋込穴２と側板部１２ｂとの間に形成される隙間も３．５ｍｍである。また、天井埋込穴２と側板部１２ｃとの間に形成される隙間は、天井埋込穴２に対して収納ケース１０を均等に設置すると、１５ｍｍである。同様に、天井埋込穴２と側板部１２ｄとの間に形成される隙間も１５ｍｍである。
【００３２】
鍔部１３ａは、１７．５ｍｍあり、天井埋込穴２と側板部１２ａとの間に形成される３．５ｍｍの隙間を十分に隠す。同様に、鍔部１３ｂは、１７．５ｍｍあり、天井埋込穴２と側板部１２ｂとの間に形成される３．５ｍｍの隙間を十分に隠す。また、鍔部１３ｃは、３５ｍｍあり、天井埋込穴２と側板部１２ｃとの間に形成される１５ｍｍの隙間を十分に隠す。同様に、鍔部１３ｄは、３５ｍｍあり、天井埋込穴２と側板部１２ｄとの間に形成される１５ｍｍの隙間を十分に隠す。
【００３３】
鍔部１３ａ〜ｄは、天井埋込穴２と側板部１３ａ〜ｄとの間に形成される隙間の広狭に応じて、その幅を適宜変更できることはいうまでもない。つまり、鍔部１３ａ〜ｄは、収納ケース１０の開放部１０Ａに収納される、既存の天井直付照明器具の大きさ及び天井埋込穴２の大きさに応じて適宜設計変更できることはいうまでもない。なお、本実施の形態の収納ケース１０は、後述する照明器具本体２０を既存の天井直付照明器具であるアイゼット社のスタンダート蛍光灯器具（商品名：ＲＥ−Ｌｉｇｈｔ）を嵌め込むことを前提にその寸法を決めているが、既存の天井直付照明器具であれば他社の製品の寸法に合わせて形成されも良いことはいうまでもない。
【００３４】
図２において、本考案の照明器具本体２０は、既存の天井直付照明器具であり、大量生産されている一般的なものである。本考案の照明器具本体２０は、直管形照明灯を用いて天井面に直接設置される照明器具である。照明器具本体２０は、鋼板、アルミニウム板などの矩形の一枚の金属板を曲げスポット溶接等することにより形成されている。照明器具本体２０は、下方向の面が開放するように開放部２０Ａが設けられた略直方体の箱形状に形成されている。また、図３より、照明器具本体２０は、天井に設置した状態で上底のほうが下底より長く、断面が左右対称の略台形形状に形成されている。
【００３５】
図３及び図４において、照明器具本体２０は、長方形形状の天板部２１と、天板部２１の周囲に下方向に形成された側板部２２ａ、２２ｂ、２２ｃ、２２ｄ（以下単に「側板部２２ａ〜ｄ」という。）が形成されている。照明器具本体２０の天板部２１は、例えば長辺１２５０ｍｍ、短辺２７０ｍｍに形成され、照明器具本体２０の高さは、５０ｍｍに形成されている。
【００３６】
側板部２２ａ、２２ｂには、それぞれ直管形の蛍光灯を取りつけるためのソケットが設けられている。また、側板部２２ａ〜ｄには、後述する反射板３０を載置するためのそれぞれ載置部２３ａ、２３ｂ、２３ｃ、２３ｄ（以下単に「載置部２３ａ〜ｄ」という。）が設けられている。これらの載置部２３ａ〜ｄは、反射板を安定して載置できるように天板部２１と略平行になるように形成されている。
【００３７】
天板部２１は、一対の第一吊下ボルト孔２４と一対の第二吊下ボルト孔２５を設けている。第一吊下ボルト孔２４及び第二吊下ボルト孔２５は、照明器具本体２０を天井に設置する際に吊下ボルト３を挿通させるための貫通孔であり、天板部２１を貫通した貫通孔である。本実施の形態において、一対の第一吊下ボルト孔２４及び第二吊下ボルト孔２５の設けられる位置、大きさ、形状等は、前述した一対の第一吊下ボルト孔１２及び第二吊下ボルト孔２５のそれと同様であるので説明を省略する。一対の第一吊下ボルト孔２４と一対の第二吊下ボルト孔２５は、照明器具本体２０を開放部１０Ａに嵌め込んだときに、前述した一対の第一吊下ボルト孔１４と一対の第二吊下ボルト孔１５の位置に合致するように形成されている。
【００３８】
天板部２１は、内側面に補強板２１ａ、２１ｂが設けられている。本実施の形態において、補強板２１ａ、２１ｂは、第一吊下ボルト孔２４及び第二吊下ボルト孔２５が設けられた位置に設けられている。つまり、補強板２１ａ、２１ｂは、照明器具１を天井に吊下げボルトで固定して吊下げたときに、照明器具本体２０が自重から破断することを防ぐために天板部２１を補強し、剛性を与えるために設けられたものである。
【００３９】
天板部２１は、電源線を挿通するための電源用孔２６を設けている。本実施の形態において、電源用孔２６の設けられる位置、大きさ、形状等は、前述した電源用孔１６のそれと同様であるので説明を省略する。 電源用孔２６は、照明器具本体２０を開放部１０Ａに嵌め込んだときに、前述した収納ケース１０の電源用孔１６の位置に合致するように形成されている。なお、天板部２１は、前述した天板部１１と同様に天井から配線される電源線の位置に応じてプレス加工により、電源用ノック孔を設けても良いことはいうまでもない。
【００４０】
天板部２１の内側面には、反射板３０を載置するための一対の載置台２７が設けられている。一対の載置台２７は、反射板を安定して載置できるように天板部２１と略平行になるように形成されている。一対の載置台２７には、ネジ孔が設けられており、反射板３０をネジ６で固定できる。
【００４１】
照明器具本体２０は、その内部に点灯装置としての安定器（図示せず）、電源用端子台（図示せず）が設けられている。安定器と電源用端子台は、照明器具本体２０の内側に反射板と接触しない位置に設けられている。
【００４２】
なお、本実施の形態の照明器具本体２０は、既存の天井直付照明器具であるアイゼット社のスタンダート蛍光灯器具（商品名：ＲＥ−Ｌｉｇｈｔ）であることを前提に説明しているが、既存の天井直付照明器具であれば良いことはいうまでもない。また、本実施の形態の照明器具本体２０は、断面が略台形形状であるが、直方体形状の照明器具を用いて、鍔部１３ａ〜ｄと照明器具の面との２つの面を同じ高さににした面一にしても良い。
【００４３】
本実施の形態において反射板３０は、母材となるアルミニウム板に陽極酸化処理を施した後に、チタンやシリコンを用いたガラス状の物質を物理蒸着したものである。反射板３０は、反射率６０パーセントの白色塗装や反射率７０パーセントのアルミニウム鏡面の既存反射板に比べ反射率が良く反射率９５パーセント以上である。本実施の形態において反射板３０は、矩形の一枚の金属板を曲げることにより形成されており、下方向から見て略長方形形状であり、側面から見て左右対称の略Ｍ字形状に形成されている。
【００４４】
反射板３０は、チタンやシリコンを用いたガラス状の物質をＰＶＤコーティングという方法で物理蒸着することにより反射面を形成する。これにより反射板３０は、照射された照射光を、母材であるアルミニウム板によって反射するのではなく、ＰＶＤコーティングされた反射板３０の表面である反射面で反射するため、反射率が９５パーセントという反射率が実現する。つまり、反射板３０は、照射された照射光をほとんど吸収することなく反射するため、反射率９５パーセントという高性能反射率を実現する。また、反射板３０の反射面は、ＰＶＤコーティングをしたことにより、耐摩耗性に優れ、高温作業下でも硬度に優れ、キズがつきにくい等の特徴を有する。さらに、反射板は、耐久性に優れ、表面が黄ばんだり、剥げたりすることがなく高反射率を維持できる。
【００４５】
反射板３０は、その表面をエンボス加工が施されている。反射板３０は、エンボス加工が施されていることにより、蛍光灯４０より発せられた照射光を拡散反射することができる。つまり、照射光が拡散反射することにより反射板の表面部が黒く見えることなく、全体に白く見えるようになり、意匠性が向上する。なお、反射板３０は、照明装置を設置する位置や場所又は、照明をあてる対象に応じて、例えば鏡面加工や梨地加工に変えても良いことはいうまでもない。
【００４６】
反射板３０は、１４枚の長方形形状の面が連続して並べられていることで形成されている。また、反射板３０は、矩形の一枚の金属板が連続して曲げられていることにより、１４面が一体に形成されている。本実施の形態において反射板３０は、一枚の金属板が蛍光灯４０を覆うように略Ｍ字形状に形成されている。しかし、この形状に限定されることはなく、照明装置を設置する位置や場所又は、照明をあてる対象に応じて反射面の数や曲げる角度を変えても良いことはいうまでもない。
【００４７】
反射板３０は、照明器具本体２０に載置したときに一対の載置台２７に対応する箇所にネジ６を通すための一対の孔３１ａ、３１ｂが形成されている。反射板３０は、側板部２２ａ〜ｄに形成された載置部２３ａ〜ｄに載置され、一対の載置台２７にネジ６を取りつけることで固定される。
【００４８】
〔照明器具の設置の工程〕
次に、本実施の形態の照明器具を天井面に設置する工程を図３及び図４に基づいて説明する。
＜天井から既設の天井埋込照明器具を外す。＞
天井の天井板４より、設置されている既設の天井埋込照明器具を外し天井埋込穴２を露出させる。このとき、既設の天井埋込照明器具に取りつけられていた、反射板、安定器、端子台、ソケット等すべて取り外し廃棄処分する。
【００４９】
＜吊りボルトの長さの調整＞
既設の天井埋込照明器具を吊り下げていた吊下ボルト３は、鉄骨に直接溶接されて固定されている場合と、軽天に取りつけられている場合がある。また、吊りボルト３は、調整ができる場合とできない場合がある。本実施の形態において収納ケース１０及び照明器具本体２０を取りつけることができる長さまで吊りボルトが調整できるのであれば調整する。しかし、吊りボルト３が収納ケース１０及び照明器具本体２０を取りつけることができる長さまで調整できない場合は、吊りボルト３を延長するジョイントナット及び延長ボルトで適当な長さに調整する。
【００５０】
＜枠体、照明器具を天井埋込穴に嵌め込む＞
照明器具本体２０は、反射板及び蛍光灯を外しておき、収納ケース１０の開放部１０Ａに嵌め込んでおく。照明器具本体２０を収納ケース１０に嵌め込んだ状態で天井用埋込穴に収納ケース１０を嵌め込む。このとき、天井から配線される電源用の電源線を電源用孔１６及び電源用孔２６を介して挿通させ、電源を確保する。つまり、既設の天井埋込照明器具の端子台に差し込まれている電源線２本とアース線１本を外して、照明器具本体２０の端子台に差し込む。また、一対の吊りボルト３を一対の第一吊下ボルト孔１４及び第一吊下ボルト孔２４を介して挿通させる。
【００５１】
＜吊りボルトで固定＞
第一吊下ボルト孔１４及び第一吊下ボルト孔２４を介して挿通された吊りボルト３は、ナット５により固定される。これにより、収納ケース１０及び照明器具本体２０は、天井面に固定される。
＜反射板、蛍光灯の取りつけ＞
反射板３０は、載置部２３ａ〜ｄに載置され、一対の載置台２７にネジ６を取りつけることで固定される。蛍光灯４０は、ソケットに取りつけることで工事は完成する。
【００５２】
このような工程による既存の天井埋込照明器具を消費電力が少ない照明器具に変更するリニューアル工事は、作業工程が少なく、必要器具が少なく、規格化された汎用品である天井直付照明器具を用いることで工事コストを抑えることができる。なお、本実施の形態の照明器具本体２０は、断面が略台形形状をしているため、鍔部と面一になっていないが、照射時にこの部分は、黒く見えかくれてしまい、美感に損なうこともない。
【００５３】
〔他の実施の形態〕
本考案の他の実施の形態を図５に基づいて説明を行う。なお、この他の実施の形態では、前述した実施の形態と同一の部位には同一の符号を付与して、詳細な説明は省略する。
【００５４】
図５は、本考案の他の実施の形態の照明器具を分解して示す外観図である。
本考案の他の実施の形態においては、前述した収納ケース１０に変えて枠体１１０ａ、１１０ｂ、１１０ｃ、１１０ｄ（以下、単に「枠体１１０ａ〜ｄ」という。）を天井埋込穴に設置する。図５において、本考案の照明器具は、枠体１１０ａ〜ｄ及び照明器具本体２０から構成されている。枠体１１０ａ〜ｄは、鋼板、アルミニウム板などの矩形の一枚の金属板を曲げスポット溶接等することにより形成されている。
【００５５】
枠体１１０ａ〜ｄは、それぞれ、天井の天井板１０４より露出した天井埋込穴１０２の側面部１０２ａ、１０２ｂ、１０２ｃ、１０２ｄ（以下、単に「側面部１０２ａ〜ｄ」という。）に嵌め込まれるように形成されている。枠体１１０ａ〜ｄは、側面部１０２ａ〜ｄに組み込んだとき（以下、単に「組み込み状態」という。）に上方向の面と下方向の面が開口している略直方体の箱形状に形成される。組み込み状態のときは、照明器具本体２０を収納できる開放部１１０Ａが形成される。
【００５６】
枠体１１０ａ〜ｄは、天板部１１１ａ、１１１ｂ、１１１ｃ、１１１ｄ（以下単に「側板部１１１ａ〜ｄ」という。）と、天板部１１１ａ〜ｄの周囲に下方向に形成された側板部１１２ａ、１１２ｂ、１１２ｃ、１１２ｄ（以下単に「側板部１１２ａ〜ｄ」という。）から形成されている。天板部１１１ａ〜ｄは、組み込み状態のとき、照明器具本体２０の大きさに合わせて、例えば長辺１２５０ｍｍ、短辺２７０ｍｍの長方形形状を構成する。組み込み状態のときの天板部１１１ａ〜ｄが構成する長方形形状は、ほぼ全面が天井埋込穴１０２を貫通する貫通孔が形成され、額縁のような形状である。側板部１１２ａ〜ｄは、照明器具本体２０の高さに合わせて、例えば５０ｍｍの高さに形成されている。
【００５７】
側板部１１２ａ〜ｄの下端の辺、即ち下方の縁には、それぞれ鍔部１１３ａ、１１３ｂ、１１３ｃ、１１３ｄ（以下単に「鍔部１１３ａ〜ｄ」という。）が形成されている。鍔部１１３ａ、１１３ｂは、例えば幅１７．５ｍｍに形成されている。また、鍔部１１３ｃ、１１３ｄは、例えば幅３５ｍｍに形成されている。鍔部１１３ａ〜ｄは、組み込み状態のとき、寸法の違いから生じる天井埋込穴１０２と側板部１１２ａ〜ｄの間に形成される隙間を隠すために設けられた。また、鍔部１１３ａ〜ｄは、隙間から生じる埃などを室内に落ちないようにするために設けられたものである。
【００５８】
組み込み状態のとき、開放部１１０Ａは、長辺１２５０ｍｍ、短辺２７０ｍｍ及び高さ５０ｍｍに形成される。つまり、開放部１１０Ａの外形は、既存の規格化された照明器具の大きさにあわせたものである。また、組み込み状態のときの鍔部１１３ａ〜ｄを含んだ最大の外形は、例えば、長辺１２８５ｍｍ、短辺３４０ｍｍ以上になるように形成される。この最大の外形は、組み込み状態のとき、開放部１１０Ａに照明器具本体２０を収納すると、天井埋込穴２を十分覆い隠せる大きさである。
【００５９】
なお、本実施の形態において、枠体１１０ａ〜ｄを組み込む以外の構成は、前述した実施の形態と同様であり、その工程も同様であるので説明を省略する。本実施の形態における枠体１１０ａ〜ｄを用いた照明器具は、前述した収納ケース１０を用いるのに比べ、吊下ボルト孔、電源用孔を設けなくて良い点で製造コストがかからない点で有利である。
【００６０】
以上、本考案の実施の形態について説明を行ったが、本考案はこの実施の形態に限定されることはない。本考案の目的、趣旨を変更しない範囲内で変更が可能であることはいうまでもない。
【図面の簡単な説明】
【００６１】
【図１】本考案の照明器具の実施の形態を示す外観図である。
【図２】図１をＡ−Ａ線で切断した拡大断面図である。
【図３】本考案の照明器具を分解して示す外観図である。
【図４】図３を切断した拡大断面図である。
【図５】本考案の他の実施の形態の照明器具を分解して示す外観図である。
【符号の説明】
【００６２】
１    …  照明器具
２    …  天井埋込穴
３    …  吊りボルト
１０    …  収納ケース
１０Ａ  …  開放部
２０    …  照明器具本体
【図１】
0003152989.tif 000003
【図２】
0003152989.tif 000004
【図３】
0003152989.tif 000005
【図４】
0003152989.tif 000006
【図５】
0003152989.tif 000007